(57)【要約】【課題】上部工の撤去作業における杭頭部のハツリ作業を円滑に行うと共に、ハツリ作業用足場の設置及び撤去作業を、より簡単に行う。【解決手段】床板１４と杭バンド１６と柵１８とが、床板１４の開口の中心を通る縦断面によって二分割されている。又、二分割された一方の柵１８Ａと他方の柵１８Ｂとの上端部同士が、ピボット２２によって軸着されている。杭頭部３に対する足場の設置作業の際には、（ａ）に示されるように、二分割された杭頭部ハツリ作業用バスケット１２をクレーンによって吊り下げ、ピボット２２を中心として下方を開いた状態で杭頭部３に被せる。その後、（ｂ）に示されるように、二分割されたバスケットの一方１２Ａと他方１２Ｂとを閉じることにより、杭バンド１６Ａ、１６Ｂによって杭２をクランプする。【選択図】図１
2008285856.tif 000002
【特許請求の範囲】
【請求項１】
杭を挿通するための開口が形成された床板と、該床板の下面から前記開口に沿って下方へと延びる筒状の杭バンドと、前記床板の外周に沿って上方へと延びる柵と、該柵に載置される足場とを備える杭頭部ハツリ作業用バスケットであって、前記床板と、前記杭バンドと、前記柵とが、前記床板の開口の中心を通る縦断面によって二分割され、かつ、二分割された一方の柵と他方の柵との上端部同士が、ピボットによって軸着されていることを特徴とする杭頭部ハツリ作業用バスケット。
【請求項２】
前記ピボット及び前記二分割された一方の柵と他方の柵とに、夫々、ワイヤーを掛ける釣金具が設けられていることを特徴とする請求項１記載の杭頭部ハツリ作業用バスケット。
【請求項３】
前記二分割された一方及び他方の各床板上面を囲む周壁が設けられていることを特徴とする請求項１又は２記載の杭頭部ハツリ作業用バスケット。
【請求項４】
前記二分割された一方及び他方の各床板と柵とが、適宜分離可能であることを特徴とする請求項１から３のいずれか１項記載の杭頭部ハツリ作業用バスケット。
【発明の詳細な説明】
【技術分野】
【０００１】
本発明は、杭頭部ハツリ作業時の足場を構成するバスケットに関するものである。
【背景技術】
【０００２】
図４及び図５に示される桟橋１は、杭２を支持体として備える港湾構造物である。具体的には、杭頭部３と、隣り合う鋼管杭２の杭頭部３同士を連結する梁部４と、これら梁部４及び杭頭部３を上方から覆う床版部５とからなる上部工１０が、各杭２によって支持された構造を有している。杭２は、円筒状の鋼管により形成され、桟橋１の長手方向及び幅方向に等間隔に複数立設されている。また、杭頭部３は、各杭２の上端に、コンクリートによって所定厚の多角柱状に形成され、梁部４も、コンクリートによって略四角柱状に形成されている。そして、各杭頭部３及び各梁部４の上面に、コンクリートからなる板状の床版部５が形成され、床版部５の上面にはコンクリート舗装６が施されている（例えば、特許文献１参照。）。
【０００３】
【特許文献１】特開２００６−１６９７６９号公報（〔００１５〕、図１、図２）
【発明の開示】
【発明が解決しようとする課題】
【０００４】
さて、桟橋１の老朽化や劣化が進んだ場合には、諸条件を勘案した上で、全体を解体し、新たな桟橋１を建設する場合と、杭２を残して上部工１０のみを撤去し、既存の杭２上に、新たな上部工１０を構築する場合とがある。そして、いずれの場合においても、杭頭部３のハツリが必要な場合には、ハツリ作業を円滑に行うために、足場を設置することが必要である。従って、作業効率を高めるためには、足場の設置作業及び撤去作業が円滑に行われることが望ましい。
本発明は、上記課題に鑑みてなされたものであり、その目的とするところは、上部工の撤去作業における杭頭部のハツリ作業を円滑に行うと共に、ハツリ作業用足場の設置及び撤去作業を、より簡単に行うことを可能とすることにある。
【課題を解決するための手段】
【０００５】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）杭を挿通するための開口が形成された床板と、該床板の下面から前記開口に沿って下方へと延びる筒状の杭バンドと、前記床板の外周に沿って上方へと延びる柵と、該柵に載置される足場とを備える杭頭部ハツリ作業用バスケットであって、前記床板と、前記杭バンドと、前記柵とが、前記床板の開口の中心を通る縦断面によって二分割され、かつ、二分割された一方の柵と他方の柵との上端部同士が、ピボットによって軸着されている杭頭部ハツリ作業用バスケット（請求項１）。
【０００７】
本項に記載の杭頭部ハツリ作業用バスケットは、床板の開口に杭を挿通した状態で、床板の下面から下方へと伸びる杭バンドによって杭をクランプすることで、床板を杭の円筒壁面に固定するものである。又、床板の外周に沿って上方へと延びる柵が設けられ、該柵に足場を載置することで、杭頭部の周囲の適切な高さに、ハツリ作業を円滑に行うための足場を設置することが可能となる。
【０００８】
しかも、床板と杭バンドと柵とが、床板の開口の中心を通る縦断面によって二分割され、かつ、二分割された一方の柵と他方の柵との上端部同士が、ピボットによって軸着されていることから、杭頭部に対する足場の設置作業の際には、二分割された杭頭部ハツリ作業用バスケットをクレーンによって吊り下げ、ピボットを中心として下方を開いた状態で杭頭部に被せた後、二分割されたバスケットの一方と他方とを閉じることにより、床板の下面から下方へと伸びる杭バンドによって杭をクランプすることができる。このように、杭を杭バンドでクランプすることによって、杭頭部ハツリ作業用バスケットを杭に固定することから、足場の設置に伴って杭を傷めることがない。しかも、杭頭部は、杭頭部ハツリ作業用バスケットに抱え込まれた状態となり、作業者は、バスケット内で円滑に杭頭部のハツリ作業を行うことができる。又、杭頭部から足場を撤去する際にも、二分割された杭頭部ハツリ作業用バスケットの下方を、ピボットを中心として開いた状態で、クレーンによって吊り上げることにより、撤去作業を完了することができる。
【０００９】
（２）前記ピボット及び前記二分割された一方の柵と他方の柵とに、夫々、ワイヤーを掛ける釣金具が設けられている杭頭部ハツリ作業用バスケット（請求項２）。
本項に記載の杭頭部ハツリ作業用バスケットは、ピボット及び二分割された一方の柵と他方の柵とに、夫々、ワイヤーを掛ける釣金具が設けられていることから、ピボットに設けられた釣金具に親巻きクレーンのワイヤーを掛け、二分割された各部分の柵に子巻きクレーンのワイヤーを掛けることで、杭頭部ハツリ作業用バスケットを吊り下げた状態で、ピボットを中心として、二分割された一方及び他方の開閉を行うことが可能である。
なお、ピボット及び二分割された一方の柵と他方の柵とに直接ワイヤーを掛けることとすれば、釣金具は不要となる。この場合には、ピボット及び柵自体が、ワイヤー掛け部となる。
【００１０】
（３）前記二分割された一方及び他方の各床板上面を囲む周壁が設けられている杭頭部ハツリ作業用バスケット（請求項３）。
本項に記載の杭頭部ハツリ作業用バスケットは、二分割された一方及び他方の各床板上面を囲む周壁によって、各床板が無蓋箱状をなすことから、ハツリ作業によって杭頭部から落下するコンクリートガラを、床板上に受止め、かつ、床板からの落下を防ぐことができる。しかも、ハツリ作業の終了後、杭頭部から当該バスケットを撤去する際に、二分割されたバスケットの下方をピボットを中心として開いた状態においても、周壁によって床板上のコンクリートガラが落下することを防ぐことができる。すなわち、杭頭部ハツリ作業用バスケットは、ハツリ作業の足場としてのみならず、コンクリートガラの回収、運搬手段としても機能するものである。
【００１１】
（４）前記二分割された一方及び他方の各床板と柵とが、適宜分離可能である杭頭部ハツリ作業用バスケット（請求項４）。
本項に記載の杭頭部ハツリ作業用バスケットは、二分割された一方及び他方の各床板を、各柵から取外し、異なる杭径用の開口が形成された床板を柵に取り付けることで、杭頭部ハツリ作業用バスケットに汎用性を持たせるものである。
【００１２】
（５）前記ピボットは、前記床板の開口の中心を通る杆材により構成され、杭天端に載置された状態で、該杭頭部ハツリ作業用バスケット及びコンクリートガラの重量を受けることが可能な強度を有する杭頭部ハツリ作業用バスケット。
本項に記載の杭頭部ハツリ作業用バスケットは、ピボットを杭天端に載置した状態で、床板の下面から下方へと伸びる杭バンドによって杭をクランプすることにより杭に設置し、ハツリ作業中の、杭頭部ハツリ作業用バスケット及び発生するコンクリートガラの重量を、前記ピボットにより受けるものである。
【００１３】
（６）上記（５）項において、前記杭バンドは、二分割された一方及び他方の各床板と柵の開放を阻止し得るだけの拘束力を発揮するものである杭頭部ハツリ作業用バスケット。
本項に記載の杭頭部ハツリ作業用バスケットは、ピボットが杭頭部ハツリ作業用バスケット及びコンクリートガラの重量を受けることが可能な強度を有し、ピボットが杭天端に載置されることから、必ずしも、杭バンドによって杭をクランプすることのみにより、杭頭部ハツリ作業用バスケットを杭に固定する必要は無くなる。そこで、杭バンドを、二分割された一方及び他方の各床板と柵の開放を阻止し得るだけの拘束力を発揮するものとして、簡略化したものである。
【発明の効果】
【００１４】
本発明はこのように構成したので、上部工の撤去作業における杭頭部のハツリ作業を円滑に行うことが可能となる。又、ハツリ作業用足場の設置及び撤去作業を、より簡単にすることが可能となる。
【発明を実施するための最良の形態】
【００１５】
以下、本発明を実施するための最良の形態を添付図面に基づいて説明する。
本発明の実施の形態に係る杭頭部ハツリ作業用バスケット１２は、図１、図２に示されるように、杭２を挿通するための開口１５が形成された床板１４と、床板１４の下面から開口１５に沿って下方へと延びる筒状の杭バンド１６と、床板１４の外周に沿って上方へと延びる柵１８と、柵１８に載置される足場２０とを備えるものである。そして、床板１４と、杭バンド１６と、柵１８とが、床板１４の開口１５の中心を通る縦断面によって、各々、床板１４Ａ、１４Ｂ、杭バンド１６Ａ、１６Ｂ、柵１８Ａ，１８Ｂに二分割されている。更に、二分割された一方の柵１８Ａと他方の柵１８Ｂとの上端部同士が、ピボット２２によって軸着されている。又、ピボット２２と、一方の柵１８Ａと、他方の柵１８Ｂとに、夫々、ワイヤー４２、４４を掛ける釣金具２４、２６が設けられている。
【００１６】
床板１４は、矩形の鋼板に開口１５を形成するための切欠きが設けられたものである。そして、図２（ｅ）および（ｇ）に示されるように、開口１５の直径が異なる床板１４が、適宜選択されて、杭頭部ハツリ作業用バスケット１２が組み立てられる。開口１５の直径は、ハツリ作業を行う杭２の直径に合わせて決定されるものであり、予め直径の異なる開口１５を有する複数種類の床板１４を用意し、適宜、柵１８に固定することとしてもよい。なお、床板１４と柵１８とは、溶接、ボルト等により固定される。
【００１７】
又、杭バンド１６は、円筒状の鋼管を軸方向に二分割することにより構成されている。そして、床板１４の下面に対し、開口１５に沿って杭バンド１６の上端部が固定され、下端部が床板１４に固定された補強ステー２８に支えられている。更に、二分割された杭バンド１６Ａ、１６Ｂの向かい合う端部に沿って、杭バンド１６Ａ、１６Ｂ同士をボルト固定するためのフランジ３０（図１（ａ）、図２（ｄ））が設けられている。
【００１８】
又、柵１８は、図１（ａ）、（ｂ）、図２（ａ）、（ｂ）に示されるように、角棒やＬ型鋼等の棒材１９からなる柱１９ａ及び横梁１９ｂにより構成されている。そして、二分割された柵の１８Ａ、１８Ｂは、各々の向かい合う端部に沿って、互いにボルト固定することが可能である。
なお、図１には、横梁１９ｂが上下二段に設けられた例が示されており、図２には、横梁１９ｂが上下三段に設けられた例が示されているが、柱１９ａの高さや横梁１９ｂの段数は、ハツリ作業を行う杭２及び杭頭部３の寸法に応じ、適宜決定されるものである。
【００１９】
足場２０は、図２（ｆ）に示されるように、角棒やＬ型鋼等の棒材を交差させて構成されたフレーム３２に、メッシュプレートやパンチングメタル等のシート材３４を張ったものであり、中央に、杭２を挿通させるための開口３６が形成されている。図示の開口３６は角形であるが、ハツリ作業によって杭頭部３から落下するコンクリートガラが床板１４に落下するように、開口３６の形状及び開口面積が決定されるものである。又、シート材３４は、柵１８の横梁の更に内側に収まるような外形を有しており、フレーム３２は、柵１８の横梁１８ｂで囲まれる範囲からはみ出すような長さに形成されている。
そして、足場２０は、フレーム３２を柵１８の横梁１９ｂ上に載置され、固定されることにより、図２（ｂ）、（ｄ）に示されるように、杭頭部ハツリ作業用バスケット１２上に設置される。なお、柵１８の横梁１９ｂは、数段設けられていることから、杭頭部３の位置や、ハツリ作業の進行具合に応じて、足場２０を載置する横梁１９ｂの位置を変えることで、常にハツリ作業がし易い高さに、足場２０を設置することが可能である。
【００２０】
更に、図１（ａ）、（ｂ）、図２（ｂ）、（ｃ）に示されるように、二分割された一方及び他方の各床板１４Ａ、１４Ｂの上面を囲むようにして、鋼板からなる周壁３８が設けられている。この周壁３８は、開口１５を避けるようにして、各床板１４Ａ、１４Ｂに切れ目無く設けられることにより、各床板１４Ａ、１４Ｂは、無蓋箱状をなしている。
【００２１】
以上のような構造を有する杭頭部ハツリ作業用バスケット１２を用い、桟橋１の杭頭部３に対するハツリ作業を実施する際には、桟橋１の上部工１０を構成する床版部５及び梁部４が除去され、図３に実線で示されるように、杭２及び杭頭部３のみが水面に突出した状態において、１本の杭２に杭頭部ハツリ作業用バスケット１２を設置する。図１に示される例では、杭頭部ハツリ作業用バスケット１２の一部が水没した状態となることから、二分割された一方１２Ａ及び他方１２Ｂの固定作業（杭バンド１６Ａ、１６Ｂ同士をボルト固定する作業）は、潜水作業となる。
作業者は、杭頭部ハツリ作業用バスケット１２内で足場２０に乗り、杭頭部３のハツリ作業を行う。この際、杭頭部３から落下するコンクリートガラは、床板１４上に落下して溜まる。そして、ハツリ作業の終了後、その杭２から当該バスケット１２を撤去し、陸上のガラ置き場へと移動させて、コンクリートガラをガラ置き場へと卸す。そして、当該バスケット１２を次の杭２へと移動させて、その杭２に当該バスケット１２を設置し、杭頭部３のハツリ作業を行う、といった作業を繰り返す。この際、杭２に設置された当該バスケット１２への、作業者の連絡通路として、例えば、浮き足場４０を用いることが可能である。
【００２２】
上記構成をなす、本発明の実施の形態により得られる作用効果は、以下の通りである。
本発明の実施の形態に係る、杭頭部ハツリ作業用バスケット１２は、床板１４の開口１５に杭２を挿通した状態で、床板１４の下面から下方へと伸びる杭バンド１６によって杭２をクランプすることで、床板１４を杭２の円筒壁面に固定するものである。又、床板１４の外周に沿って上方へと延びる柵１８が設けられ、柵１８に足場２０（図２（ｆ））を固定することで、杭頭部３の周囲の適切な高さに、ハツリ作業を円滑に行うための足場２０を設置することが可能となる。又、足場２０は、ハツリ作業に支障を来たすような場合には、柵１８から足場２０を撤去する（すなわち選択的に使用する）ことにより、作業性を向上させることもできる。
【００２３】
しかも、杭頭部ハツリ作業用バスケット１２は、床板１４と杭バンド１６と柵１８とが、床板１４の開口１５の中心を通る縦断面によって二分割され、かつ、二分割された一方の柵１８Ａと他方の柵１８Ｂとの上端部同士が、ピボット２２によって軸着されていることから、杭頭部３に対する足場２０の設置作業の際には、図１（ａ）に示されるように、この二分割された杭頭部ハツリ作業用バスケット１２をクレーンによって吊り下げ、ピボット２２を中心として下方を開いた状態で杭頭部３に被せた後、図１（ｂ）に示されるように、二分割されたバスケットの一方１２Ａと他方１２Ｂとを閉じることにより、杭バンド１６Ａ、１６Ｂによって杭２をクランプすることができる。
このように、杭２を杭バンド１６Ａ、１６Ｂでクランプすることによって、杭頭部ハツリ作業用バスケット１２を杭２に固定することから、足場の設置に伴って杭２を傷めることがない。しかも、杭頭部３は、杭頭部ハツリ作業用バスケット１２に抱え込まれた状態となり、作業者は、バスケット１２内で円滑に杭頭部３のハツリ作業を行うことができる。又、杭頭部３から足場を撤去する際にも、二分割された杭頭部ハツリ作業用バスケット１２Ａ、１２Ｂの下方を、ピボット２２を中心として開いた状態で、クレーンによって吊り上げることにより、撤去作業を完了することができる。
【００２４】
又、杭頭部ハツリ作業用バスケット１２は、ピボット２２及び二分割された一方の柵１８Ａと他方の柵１８Ｂとに、夫々、ワイヤー４２、４４を掛ける釣金具２４、２６が設けられている。そして、ピボット２２に設けられた釣金具２４に親巻きクレーンのワイヤー４２を掛け、二分割された各部分の柵１８Ａ、１８Ｂの釣金具２６に子巻きクレーンのワイヤー４４を掛けることで、杭頭部ハツリ作業用バスケット１２を吊り下げた状態で、ピボット２２を中心として、二分割された一方１２Ａ及び他方１２Ｂの開閉を行うことが可能である。
【００２５】
又、杭頭部ハツリ作業用バスケット１２は、二分割された一方１２Ａ及び他方１２Ｂの各床板１４Ａ、１４Ｂの上面を囲む周壁３８によって、各床板１４Ａ、１４Ｂが無蓋箱状をなしている。よって、ハツリ作業によって杭頭部３から落下するコンクリートガラを、床板１４Ａ、１４Ｂ上に可能な限り受止め、床板１４Ａ、１４Ｂからのコンクリートガラ落下を防ぐことができ、水中におけるコンクリートガラの回収作業が大幅に軽減されることとなる。しかも、ハツリ作業の終了後、杭頭部３から杭頭部ハツリ作業用バスケット１２を撤去する際に、図１（ａ）に示されるように、二分割されたバスケット１２Ａ、１２Ｂの下方を、ピボット２２を中心として開いた状態でも、周壁３８によって床板１４Ａ、１４Ｂ上のコンクリートガラが落下することを防ぐことができる。すなわち、杭頭部ハツリ作業用バスケット１２は、ハツリ作業の足場としてのみならず、コンクリートガラの回収、運搬手段としても機能するものである。
【００２６】
なお、本発明の実施の形態では、ピボット２２を、床板１４の開口１５の中心を通る杆材により構成し、かつ、このピボット２２を、杭２の天端に載置させた状態で、杭頭部ハツリ作業用バスケット１２及び杭頭部３から落下するコンクリートガラの重量を受けることが可能な強度を有するものとして構成してもよい。
この場合には、ピボット２２を杭２の天端に載置した状態で、床板１４の下面から下方へと伸びる杭バンド１６によって杭２をクランプすることにより、ハツリ作業中の、杭頭部ハツリ作業用バスケット１２及び発生するコンクリートガラの重量を、ピボット２２により受けるようにして、杭２に設置される。
【００２７】
その具体的使用例は、以下の通りである。例えば、杭頭部３に杭頭部ハツリ作業用バスケット１２を設置する前に、杭頭部３から杭２の天端を露出させるハツリ作業を行い、露出された杭２の天端に、直接ピボット２２を載置する。そして、釣金具２４、２６からワイヤー４２、４４を外した状態で、杭バンド１６によって杭２をクランプする作業を行うことにより、設置作業の際の、クレーン作業の短縮を図ることができる。同様に、杭頭部ハツリ作業用バスケット１２の撤去作業の際にも、杭バンド１６のクランプ解除を行った後に、釣金具２４、２６にワイヤー４２、４４を掛けることで、クレーン作業の短縮を図ることができる。
更には、杭２の天端に、Ｈ型鋼その他補強材等、スペーサを載置し（必要に応じて杭２の天端にボルト等の固定具を用いて固定し）、かかるスペーサ上にピボット２２を載置することとすれば、ハツリ作業用バスケット１２を、杭２の天端に対し比較的上方へと設置することが可能である。このとき、杭バンド１６が水面上に位置することとなり、杭バンド１６による杭２のクランプ作業及びクランプ解除作業に、潜水作業が不要となる。よって、ハツリ作業用バスケット１２の着脱作業が容易となり、なおかつ、クレーン作業の時間も短縮することが可能となる。
【００２８】
又、ピボット２２が、杭頭部ハツリ作業用バスケット１２及びコンクリートガラの重量を受けることが可能な強度を有し、このピボット２２が杭２の天端に載置されることから、必ずしも、杭バンド１６によって杭をクランプすることのみにより、杭頭部ハツリ作業用バスケットを杭２に固定する必要が無くなる。
そこで、杭バンド１６を、二分割された一方１２Ａ及び他方１２Ｂの各床板１４Ａ、１４Ｂと柵１８Ａ、１８Ｂの開放を阻止し得るだけの拘束力を発揮するものとして、簡略化することとしてもよい。この場合には、床板１４の開口１５の直径が、必ずしも杭２の直径とほぼ一致している必要は無く、杭２に対し若干大径であってもよい。
【００２９】
又、杭頭部ハツリ作業用バスケット１２は、二分割された一方１２Ａ及び他方１２Ｂの各床板１４Ａ、１４Ｂを、各柵１８Ａ、１８Ｂから取外し、異なる杭径用の開口が形成された床板１４Ａ、１４Ｂを柵１８Ａ、１８Ｂに取り付けることで、杭頭部ハツリ作業用バスケットに汎用性を持たせることが可能となる。
なお、本発明の実施の形態では、杭頭部ハツリ作業用バスケット１２を、桟橋１の杭頭部３のハツリ作業に用いる場合を例示して説明したが、他の構造物に係る杭頭部のハツリ作業にも利用可能であることは理解されるであろう。
【図面の簡単な説明】
【００３０】
【図１】本発明の実施の形態に係る杭頭部ハツリ作業用バスケットを、杭と共に示す側面図であり、（ａ）は設置作業中又は撤去作業中の状態を、（ｂ）は設置完了状態を示すものである。
【図２】本発明の実施の形態に係る杭頭部ハツリ作業用バスケットを示す図であり、（ａ）は平面図、（ｂ）は側面図、（ｃ）はＡ−Ａ断面図、（ｄ）はＢ−Ｂ断面図、（ｅ）はＣ−Ｃ断面図、（ｆ）は足場の平面図、（ｇ）は床板の別例に係るＣ−Ｃ断面図である。
【図３】本発明の実施の形態に係る杭頭部ハツリ作業用バスケットを、桟橋の杭頭部のハツリ作業に使用した様子を示す平面図である。
【図４】桟橋の一般的な構造を示す斜視図である。
【図５】桟橋の一般的な構造を示す縦断面図である。
【符号の説明】
【００３１】
２：杭、３：杭頭部、４：梁部、１２、１２Ａ、１２Ｂ：杭頭部ハツリ作業用バスケット、  １４、１４Ａ、１４Ｂ：床板、１５：開口、  １６、１６Ａ、１６Ｂ：杭バンド、  １８、１８Ａ、１８Ｂ：柵、１９ａ：柱、１９ｂ：横梁、２０：足場、２２：ピボット、  ２４、２６：釣金具、３８：周壁
【図１】
2008285856.tif 000003
【図２】
2008285856.tif 000004
【図３】
2008285856.tif 000005
【図４】
2008285856.tif 000006
【図５】
2008285856.tif 000007